(57)【要約】【課題】加飾カバーの爪が、その下部に存在するバーナの熱の影響により変形して、加飾カバーが浮いたり外れたりすることを防止する。【解決手段】機具の一側に寄って設けられるバーナ８と、機具前面で前記一側によって開口された吹き出し口６と、機具背面に設けられバーナ８からの熱を吹き出し口６から送風させる送風ファン１１と、機具上部前面側で、機具の前記一側から他側に掛けて設けられた操作表示部１５と、操作表示部１５の表面を覆うように装着された加飾カバー２０とを有し、加飾カバー２０の前記一側端部に略Ｌ字状の固定爪２２を設けると共に、加飾カバー２０の前記他側端部に略鈎状の可動爪２３を設け、固定爪２２の厚みを可動爪２３の厚みよりも厚くした。【選択図】図１
2017036884.tif 000002
【特許請求の範囲】
【請求項１】
機具の一側に寄って設けられるバーナと、機具前面で前記一側によって開口された吹き出し口と、機具背面に設けられ前記バーナからの熱を前記吹き出し口から送風させる送風ファンと、機具上部前面側で、機具の前記一側から他側に掛けて設けられた操作表示部と、前記操作表示部の表面を覆うように装着された加飾カバーとを有し、前記加飾カバーの前記一側端部に略Ｌ字状の固定爪を設けると共に、前記加飾カバーの前記他側端部に略鈎状の可動爪を設け、前記固定爪の厚みを前記可動爪の厚みよりも厚くしたことを特徴とする温風暖房機。
【請求項２】
前記機具の他側には燃料タンクが設けられ、前記燃料タンクの前面側に前記加飾カバーの前記可動爪が位置していることを特徴とする請求項１記載の温風暖房機。
【請求項３】
前記加飾カバーは、透光性を有した樹脂より構成され、裏面に加飾印刷層が形成されていることを特徴とする請求項１または２記載の温風暖房機。
【発明の詳細な説明】
【技術分野】
【０００１】
本発明は、温風暖房機に関するものである。
【背景技術】
【０００２】
従来よりこの種の温風暖房機においては、機具上部前面側の操作部あるいは表示部の意匠性確保のために、操作スイッチあるいは表示ランプの周囲に加飾カバーを爪で嵌め込み固定したものがあった（特許文献１）。
【先行技術文献】
【特許文献】
【０００３】
【特許文献１】特開平７−２４３７０２号公報
【発明の概要】
【発明が解決しようとする課題】
【０００４】
しかし、この従来のものでは、加飾カバーの爪が、その下部に存在するバーナの熱の影響により変形して、加飾カバーが浮いたり外れたりする恐れがあった。
【課題を解決するための手段】
【０００５】
そこで本発明は上記課題を解決するために、機具の一側に寄って設けられるバーナと、機具前面で前記一側によって開口された吹き出し口と、機具背面に設けられ前記バーナからの熱を前記吹き出し口から送風させる送風ファンと、機具上部前面側で、機具の前記一側から他側に掛けて設けられた操作表示部と、前記操作表示部の表面を覆うように装着された加飾カバーとを有し、前記加飾カバーの前記一側端部に略Ｌ字状の固定爪を設けると共に、前記加飾カバーの前記他側端部に略鈎状の可動爪を設け、前記固定爪の厚みを前記可動爪の厚みよりも厚くした。
【０００６】
また、前記機具の他側には燃料タンクが設けられ、前記燃料タンクの前面側に前記加飾カバーの前記可動爪が位置しているものとした。
【０００７】
また、前記加飾カバーは、透光性を有した樹脂より構成され、裏面に加飾印刷層が形成されているものとした。
【発明の効果】
【０００８】
バーナの熱影響があっても、バーナに近いＬ字状の固定爪はその厚みが厚く熱変形し辛く、厚みの薄い可動爪はバーナから遠く熱変形することがないため、加飾カバーが浮いたり外れたりすることを防止できると同時に、可動爪は適正な可撓性を持たせられるため加飾カバーの着脱容易性も確保して、意匠性を確実かつ容易に長期にわたり確保することができる。
【図面の簡単な説明】
【０００９】
【図１】本発明の一実施形態の内部構造の一部を点線で表した正面図
【図２】同一実施形態の要部横断面図
【図３】同一実施形態の要部縦断面図
【図４】同一実施形態の操作表示部を一側方向から見た分解斜視図
【図５】同一実施形態の操作表示部を他側方向から見た分解斜視図
【図６】同一実施形態の加飾カバーの固定爪付近の要部断面図
【図７】同一実施形態の加飾カバーの可動爪付近の要部断面図
【発明を実施するための形態】
【００１０】
次に、本発明の一実施形態の温風暖房機１について、図面に基づいて説明する。
図１は温風暖房機１の内部構造の一部を点線で表した正面図、図２は温風暖房機１の要部横断面図、図３は温風暖房機１の要部縦断面図である。
【００１１】
２は温風暖房機１の左右両側面と背面の筐体としての側面板、３は温風暖房機１の天面の筐体としての天面板、４は温風暖房機１の正面の筐体としての前板、５は温風暖房機１の底面の筐体としての底板である。
【００１２】
６は前板４の上下方向の中央で左右方向の一側に寄って開口されて複数のルーバー７を有した温風を吹き出すための吹き出し口、８は機具の一側に寄って設けられ燃料を燃焼させるバーナ、９はバーナ８の上部空間を囲って燃焼空間を形成する燃焼筒、１０は背面開口部に送風ファン１１を有し、前下方の開口部が吹き出し口６に連通した送風室区画壁である。
【００１３】
１２は機具の他側に寄って設けられバーナ８へ燃料を供給する着脱自在に構成された燃料タンク、１３は燃料タンク１２を収容する空間をバーナ８のある空間から区画する仕切り板、１４は仕切り板１３と前板４の間の熱風が流れない空間に配置された電装基板であり、仕切り板１３によって燃料タンク１２の温度上昇を防止するとともに、温度が比較的低く保たれる燃料タンク１２の前面側空間も、バーナ８の熱風が通過する経路から離れているため比較的低温に保たれ、電装基板１４を配置するのに適しているものである。
【００１４】
１５は機具の上部前面側に設けられた操作表示部で、上面に複数の操作スイッチ１６を有していると共に、前面に機具の設定状態等を表示する表示器１７を有し、この操作表示部１５の一端は機具の一側端部付近に位置し、他端は機具の他側端部付近に位置し、バーナ８を跨る長さを有している。
【００１５】
この温風暖房機１が運転開始されると、燃料タンク１２の燃料がバーナ８で燃焼され、この燃焼ガスが送風ファン１１の送風によって送風室区画壁１０を通って吹き出し口６から送風されて暖房が行われるものである。
【００１６】
ここで、この操作表示部１５を図４、図５に基づいて詳細に説明する。
図４は操作表示部１５を一側方向から見た分解斜視図、図５は操作表示部１５を他側方向から見た分解斜視図である。
【００１７】
そして、操作表示部１５は上部の略水平部１８と前面の略垂直部１９を有した断面Ｌ字状で、略水平部１８に複数の操作スイッチ１６が配置され、略垂直部１９には液晶表示やＬＥＤランプなどから構成された表示器１７が配置され、略垂直部１９の表面には、意匠性向上のためにその略全長に渡って、透光性を有した熱可塑性樹脂製の加飾カバー２０が装着されている。
【００１８】
この加飾カバー２０は、表示器１７に対応する位置を除いて裏面に加飾印刷層２１が形成され、一側端部に一方向に突出した略Ｌ字状の固定爪２２が設けられていると共に、他側端部に機具背面方向に突出した略鈎状の可動爪２３が設けられており、略垂直部１９の各爪に対応する位置に開口されている係止穴２４に係止されることで加飾カバー２０が装着されるようにしている。
【００１９】
ここで、固定爪２２は図６に示すように、加飾カバー２０の周縁部から立ち上がった根本部２２ａと根本部２２ａの先端から加飾カバー２０の外方へ突出する先端部２２ｂとでＬ字状に構成されており、根本部２２ａと先端部２２ｂの両方ともに加飾カバー２０の厚みと同一の厚みＡを有して構成されている。
【００２０】
また、可動爪２３は図７に示すように、加飾カバー２０の周縁部から立ち上がった根本部２３ａと根本部２３ａの先端に加飾カバー２０の外側に返しの付いた鈎部２３ｂとを有して構成され、可動爪２３の両側面の加飾カバー２０周縁部には切り欠き部２３ｃが設けられ、可動爪２３の内側面には可動爪２３の根本の強度を確保するためのリブ２３ｄが設けられている。
【００２１】
可動爪２３の根本部２３ａの厚みは、固定爪２２の厚みＡよりも薄い厚みＢとして、可動爪２３を係止穴２４へ挿入する際に、鈎部２３ｂが係止穴の外側と接触する際に厚み方向に適度に撓むようにしている。
【００２２】
そして、加飾カバー２０を略垂直部１９へ装着する際は、加飾カバー２０の固定爪２２の先端部２２ｂを対応する係止穴２４へ挿入し、この先端部２２ｂを軸として可動爪２３側を略垂直部１９へ近づけるようにし、可動爪２３を対応する係止穴２４へ挿入し、固定爪２２の先端部２２ｂの表面が略垂直部１９の裏面に当接し、可動爪２３の鈎部２３ｂの段差面が略垂直部１９の裏面に当接して、加飾カバー２０が装着される。
【００２３】
このようにして装着される加飾カバー２０は、バーナ８の略上部に位置する固定爪２２はその厚みが厚く熱変形しにくく、固定爪２２はバーナ８の熱影響があっても容易に変形することがなく係止穴２４から外れてしまうことがなく、固定爪２２より可撓性の高い可動爪２３はバーナ８から遠い位置で、かつ温度を低く保たなければならない燃料タンク１２の前面側の位置としているため、可動爪２３が過熱されることなく可動爪２３が変形して可動爪２３が係止穴２４から外れてしまうことがなく、加飾カバー２０が浮いたり外れたりすることを防止できると共に、加飾カバー２０の着脱のために可動爪２３に適正な可撓性を持たせることができるため、加飾カバー２０の着脱容易性も確保でき、温風暖房機１の意匠性を確実かつ容易に長期にわたり確保することができるものである。
【００２４】
なお、本発明は上記の一実施形態に限定されるものではなく、発明の要旨を変更しない範囲で改変可能なものであり、例えば、加飾カバー２０を操作表示部１５の略垂直部１９の表示器１７周りをカバーする構成として説明したが、これに限られず、加飾カバー２０によって略水平部１８の操作スイッチ１６周りをカバーする構成としたり、操作表示部１５を機具上面または前面の何れか一方のみに操作スイッチ１６と表示器１７を配置した構成として、加飾カバー２０を操作スイッチ１６と表示器１７周りをカバーする構成としてもよい。
【００２５】
また、温風暖房機１として、燃焼ガスを室内に放出する開放式のもので説明したが、これに限られず、燃焼ガスを室内空気と熱交換して屋外に放出する密閉式あるいは半密閉式の温風暖房機であってもよい。
【符号の説明】
【００２６】
１  温風暖房機
６  吹き出し口
８  バーナ
１１  送風ファン
１２  燃料タンク
１５  操作表示部
２０  加飾カバー
２１  加飾印刷層
２２  固定爪
２３  可動爪
【図１】
2017036884.tif 000003
【図２】
2017036884.tif 000004
【図３】
2017036884.tif 000005
【図４】
2017036884.tif 000006
【図５】
2017036884.tif 000007
【図６】
2017036884.tif 000008
【図７】
2017036884.tif 000009